(57)【要約】【課題】プリンタや複写機で本や立体物などの厚みのあるものを複写やスキャンをする場合、複写やスキャンしたものの周囲に黒い影ができるため、影を無くすための入力設定をするなり、画像の影を取り除く加工処理が必要であった。また不要なインクの消耗が生じるなどの問題もあった。そこで本発明はそれらの不都合を解消すべくなされたものである。【解決手段】  Ｌ字型の遮光面を構成する白色で薄い当該複写補助シートを用いて、原稿物の読み取りに必要な部分以外を覆い隠し、不必要な個所に原稿読み取り光線が透過しないよう遮光する。これにより画像の周りの黒い影を防止すことができる。この際、当該複写補助シートは遮光面積を自在に変えることができる構造を持ち、シートを収納する構造を備えることが好ましい。【選択図】図５
2020184738.tif 000002
【特許請求の範囲】
【請求項１】
原稿ガラス上に敷いて原稿読み取り光線の透過を制限遮断するシートは、原稿台ガラスに向かう面が白色であることを特徴とする当該複写補助シート。
【請求項２】
原稿ガラス上に敷いて原稿読み取り光線の透過を制限遮断するシートは、原稿台ガラスに向かう面が白色であり、Ｌ字型の形状であることを特徴とする当該複写補助シート。
【請求項３】
原稿ガラス上に敷いて原稿読み取り光線の透過を制限遮断するシートは、原稿台ガラスに向かう面が白色であり、複数枚を組み合わせてなることを特徴とする当該複写補助シート。
【請求項４】
当該補助シートを複数枚作成できる構造を備えたシート。
【請求項５】
原稿ガラス上に敷いて原稿読み取り光線の透過を制限遮断するシートは、原稿台ガラスに向かう面が白色であり、遮光面積を変えることができる構造を備えた当該複写補助シート。
【請求項６】
原稿ガラス上に敷いて原稿読み取り光線の透過を制限遮断するシートは、原稿台ガラスに向かう面が白色であり、二枚のシートより形成されてなることを特徴とする当該複写補助シート。
【請求項７】
原稿ガラス上に敷いて原稿読み取り光線の透過を制限遮断するシートは、原稿台ガラスに向かう面が白色であり、一枚のシートより形成されてなることを特徴とする当該複写補助シート。
【請求項８】
原稿読み取り時の光線の透過を制限遮断するシートは表面が白色であり、シート収納部を有することを特徴とする当該複写補助シート。
【請求項９】
原稿ガラス上に敷いて原稿読み取り光線の透過を制限遮断するシートは、原稿台ガラスに向かう面が白色であり、対角線上に切り込み構造を有することを特徴とする当該複写補助シート。
【発明の詳細な説明】
【技術分野】
【０００１】  本発明は、立体物や書籍など厚い原稿の複写やスキャン時に生じる画像の周りの黒い影の発生を防ぐための、複写補助シートに関するものである。
【背景技術】
【０００２】  従来、複写機などの原稿台には原稿カバーが設けられている。しかし、原稿カバーは原稿ガラス上において薄手の原稿物の上部を押さえる構造であり、薄手の原稿物の周囲の遮光には適しているが、立体物や高さのある原稿物の必要読み取り部分以外を遮光することは困難であった。
【発明の概要】
【発明が解決しようとする課題】
【０００３】イ）プリンタやコピー機などで、厚手の原稿や立体物をスキャンやコピーすると、画像の周囲に黒い影ができてしまい、見栄えが悪くなる。
ロ）厚手の原稿や立体物をスキャンやコピーするとき、原稿物の不必要な個所や黒い影を取り込まないための入力操作が必要となる。
ハ）厚手の原稿や立体物をスキャンやコピーしたときできる不必要な黒い影により、不必要なインクの消耗が発生する。
本発明は、これらの問題点を解決するためになされたものである。
【課題を解決するための手段】
【０００４】  薄く形成した白色のＬ字型の遮光面を構成する当該複写補助シートを用いて、厚みのある本や立体物などの原稿物の必要な読み取り部分以外を覆い隠し、読み取り部分以外の箇所に原稿読み取り時の光線が透過しないように遮光する。
この場合、遮光面積を自由に変えることができる構造を備え、シートを収納する構造を備えることが好ましい。
【発明の効果】
【０００５】イ）影の発生を無くすことで不必要なインクの消耗が抑えられる。
ロ）画像の周りの黒い影を消す作業を省くことができる。
ハ）原稿物の不必要な部分を隠して必要部分だけを取り込むことができる。
ニ）複雑な操作なしで、手軽に黒い影の発生を解消できる。
【図面の簡単な説明】
【０００６】
【図１】実施例１の本発明の複写補助シートの斜視図
【図２】実施例１の本発明の複写補助シートの使用状態を示す斜視図
【図３】実施例１の本発明の複写補助シートを複数枚使用した状態を示す平面図
【図４】原稿台中央を基準に原稿物を配したときの平面図
【図５】実施例２の本発明の複写補助シートの斜視図
【図６】実施例２の本発明の複写補助シートの使用状態を示す斜視図
【図７】二枚以上のシートより形成された当該複写補助シートの構成図
【図８】一枚のシートより一体形成された当該複写補助シートの展開図
【図９】実施例３の本発明の複写補助シートの斜視図
【図１０】実施例３の本発明の複写補助シートの原稿台取り付け斜視図
【図１１】実施例３のシート収納部の構造図
【図１２】実施例４の本発明の複写補助シートの斜視図
【図１３】当該複写補助シートを複数枚作成するシートの平面図
【発明を実施するための形態】
【実施例１】
【０００７】  以下、本発明の実施例１の形態を説明する。
（イ）、当該複写補助シート本体（１）の原稿台ガラス（１３）に接する面は白色である。白色である理由は複写機読み取り光線により白色のものは複写されないためである。
（ロ）、当該複写補助シート本体（１）の形状はＬ字型である。当該複写補助シートがＬ字型である理由は、原稿台（１５）の隅にあるセット基準（１４）からの距離をＬ字型の二辺をもって制限するためである。
（ハ）、当該複写補助シート本体（１）は、和紙やクラフト紙などの強度と耐久性を備えた紙類、布、フェルトなど不織布、ゴムやウレタンゴムやシリコンゴムなどの弾性体の素材、プラスチックなどの素材で薄く形成する。
（ニ）、当該複写補助シート本体（１）の表面には、適応する原稿物のサイズや本の種類などの表示（１０）が、複写時に画像として写り込まないための蛍光顔料などで描かれている。
（ホ）、例えば当該複写補助シート本体（１）のＬ字型の２辺Ａ、Ｂと原稿台（１５）の２辺Ｃ・Ｄに囲まれた面積が、原稿物（１２）の読み取り部分の面積となる。当該複写補助シート本体（１）を複数枚使用したときはそれぞれのシートによって囲まれた部分が読み取り面積となる。そして読み取り面積を除いた部分が遮光面積となる。
（ヘ）、当該複写補助シート本体（１）は、単独で使用できるが、複数枚を重ねるなど組み合わせて使用できる。
（ト）、当該複写補助シート本体（１）の組み合わせセットは、大小のセットや同じ大きさのものどうしの組み合わせのセットなどである。
（チ）、当該複写補助シート本体（１）の端には書籍など原稿物の余白部分に合わせやすいようにガイド部（２）を設けることが好ましい。
（リ）、ガイド部（２）は、段差によるものや色彩による視覚的なものによって、原稿物の余白部分に合わせやすいようにするとよい。
本発明は以上の構成よりなる。【０００８】  本発明の使用例を以下に説明する。
本発明を使用するときは、まず、立体物や本などの厚手の原稿物（１２）を複写機やプリンタなどの原稿ガラス（１３）上に、原稿台（１５）に表示されたセット基準（１４）に合わせて仮置きする。次に、発泡体のポリウレタン樹脂を圧延して薄く形成した当該複写補助シート本体（１）を、原稿物（１２）の読み取り部分が隠れないように原稿物（１２）の余白部分にガイド（２）を合わせ、原稿ガラス（１３）の下方から照射される読み取り光線が漏れないように、また、外部からの光線を取り込まないよう原稿物（１２）に合わせて、原稿ガラス（１３）の上に敷く。【０００９】  当該複写補助シート本体（１）の表面には、書籍などのサイズや本の種類などの表示（１０）を設けてあるので、本などサイズや種類の分かっている原稿物（１２）を複写する場合は、対応可能な当該複写補助シートを選択して使用する。たとえば原稿物（１２）が文庫本である場合は、当該複写補助シート本体（１）にＡ６判・文庫本と表記された表示（１０）のあるものを選択して使用する。このとき、当該複写補助シート本体（１）の表面にある表示（１０）は複写時に画像として写り込まないよう、薄い蛍光色の顔料などで表示されているので、原稿ガラス（１３）に接しても表示（１０）は複写されない。【００１０】  大小二枚の当該複写補助シートをもってする例としては、図３に示す如くシート１−１とシート１−２をＬ字型に組み合わせて使用する。【００１１】  原稿ガラス（１３）の中央付近で原稿物（１２）を複写するときの例としては、図４のように当該複写補助シート本体（１）を二枚組み合わせて使用する。【００１２】  本や立体物でサイズや種類の分からない原稿物（１２）については、当該補助シートを複数枚組み合わせて対応する。【００１３】  大きさの違う複数枚の当該複写補助シートを作成するシートを提供する場合は、図（１２）に示す如く一枚のシートから複数のＬ字型のシートを切り離し易くするために、シートにはあらかじめ離脱が容易なように完全に切り取ってしまわない範囲の切り込みやミシン目または型押し溝などでできた切り離し目印（２６）を設ける。
【実施例２】
【００１４】  以下、本発明の実施例２の形態を説明する。
（イ）、当該複写補助シート本体（１）は、縦方向に遮光面積を変えることができるシート部３（３）と横方向に遮光面積を変えることができるシート部４（４）を備える。
（ロ）、当該複写補助シート本体（１）およびシート部３（３）とシート部４（４）の素材は、ゴム・ウレタンゴム・シリコンゴムなど弾性体の素材、紙、布、フェルト、不織布、プラスチックなどの素材が好ましく、その素材をもって薄く形成されている。
（ハ）、原稿台ガラスに接する面の色は白色である。
（ニ）、遮光面積を広げるときはシート部３（３）やシート部４（４）を伸ばして広げる。
（ホ）、遮光面積を狭めるときはシート部３（３）やシート部４（４）を畳んだり巻いたりして狭める。
（ヘ）、シート部３（３）やシート部４（４）を伸ばしたり畳んだり調整してＬ字型遮光面のシートを形成する。畳んだり伸ばしたりするには仕込み式・スライド式の構造をもってしてもよい。
（ト）、当該複写補助シートのＬ字型の２辺Ａ、Ｂと原稿台（１５）の２辺Ｃ・Ｄに囲まれた面積が、原稿物（１２）の読み取り部分の面積となる。そして読み取り面積以外が遮光面積となる。
（チ）、シート部３（３）やシート部４（４）の交わる箇所には切り込み（５）を設ける。
（リ）、当該複写補助シートの表面には、適応する原稿物のサイズや種類などの表示（１０）が、薄い色の蛍光顔料などで複写時に写り込まないように描かれている。
（ヌ）、当該複写補助シート本体（１）は、シート部３（３）やシート部４（４）を保持しやすくするため二重構造にするか、シート３（３）やシート部４（４）に対して硬めの材質で形成することが好ましい。
本発明は以上の構成よりなる。【００１５】  本発明を使用する場合は、複写機の原稿台ガラス（１３）上に、厚手の本や立体物などの原稿物（１２）の余白部分に合わせて原稿物（１２）の読み取り部分が隠れないように、シート部３（３）やシート部４（４）の端（６）や（７）あるいは、シート部３（３）やシート部４（４）を折り曲げてできる直線部（８）や（９）などを原稿物（１２）に合わせて、Ｌ字型の遮光面を形成し、このＬ字型となったシートを敷いて、複写機の読み取り光線が漏れないようにし、かつ外部からの光線を取り込まないようにする。【００１６】  なお、シート部３（３）やシート部４（４）は切り込み部（５）があるが。切り込み部（５）により、シート部３（３）やシート部４（４）をめくったときに、シートどうしが接触しにくくなり、シート部３（３）やシート部４（４）をスムーズに動かすことができるようになる。さらに、シート部３（３）やシート部４（４）に、あらかじめ原稿サイズなどの表示（１０）や折り目や目印（１６）をつけておくと、シート部３（３）やシート部４（４）が折り畳み易くなる。【００１７】  本発明を二枚のシートより制作する場合は、図７に示す如くシート部３（３）を有するシート（Ｅ）の当該複写補助シート本体（１）になる箇所と、シート部４（４）を有するシート（Ｆ）の当該複写補助シート本体（１）になる箇所を接合して形成する。【００１８】  本発明を一枚のシートより制作する場合は、図８に示す如く、一枚のシートにシート部３（３）とシート部４（４）を設け、シートの中央（Ｇ）に沿って折り曲げ、シート本体（１）となる箇所を接着剤等で接合するなり加熱圧着するなりして形成する。
【実施例３】
【００１９】  以下、本発明の実施例３の形態を説明する。
（イ）、当該複写補助シート本体（１）は、縦方向に遮光面積を変えることができるシート部３（３）と横方向に遮光面積を変えることができるシート部４（４）を備える。
（ロ）、当該複写補助シート本体（１）は、ゴム・ウレタンゴム・シリコンゴムなど弾性体の素材、紙、布、フェルト、不織布、プラスチックなどの素材で薄く形成されている。
（ハ）、当該複写補助シートの表面の色は白色である。
（ニ）、遮光面積を広げるときはシート部３（３）やシート部４（４）を伸ばして広げる。
（ホ）、遮光面積を狭めるときはシート部３（３）やシート部４（４）を縮めて狭める。
（ヘ）、シート部３（３）やシート部４（４）を伸ばしたり縮めたり調整してＬ字型の遮光シートを形成する。
（ト）、当該複写補助シートのＬ字型の２辺Ａ、Ｂと原稿台ガラスの２辺Ｃ・Ｄに囲まれた面積が、原稿物（１２）の読み取り部分の面積となる。読み取り部分の面積を除いた部分が当該複写補助シートの遮光面積となる。
（チ）、シート部３（３）やシート部４（４）の端は収納部（１７）のドラム（２２）に連結され、ドラム（２２）は巻取り軸（１８）に連結されたコイルバネ（１９）に連結され、コイルバネ（１９）によりドラム（２２）は巻取り力を付与される。
（リ）、シート引き出し位置を保持するために、ラチェット式のロック機構（２０）を設け、ロック機構（２０）を解除するロック解除ボタン（２１）設ける。
（ヌ）、シート収納部（１７）はセット基準（１４）の接しない辺側の原稿台（１５）の外部又は内部に設置する。
（ル）、当該複写補助シートの表面には、適応する原稿物のサイズや種類などの表示（１０）が、薄い色の蛍光顔料などで複写時に写り込まないように描かれている。
本発明は以上の構成よりなる。【００２０】  本発明を使用する場合は、厚手の本や立体物などの原稿物（１２）の余白部分や周囲などに合わせに合わせて原稿物（１２）の読み取り部分が隠れないように、シート部３（３）やシート部４（４）を引き出したり縮めたりしてＬ字型の遮光面を構成し、これをもって複写機の読み取り光線が漏れないようにし、かつ外部からの光線を遮断する。【００２１】  原稿台に取り付けた本発明の使用状況は図１０に示す如く、原稿台（１５）のセット基準（１４）に接しない辺側に収納部（１７）を設置し、収納部（１７）に収納されたシート部３（３）やシート部４（４）を伸ばしたり縮めたりして遮光面積を調節する。このとき、シートの巻き出し位置を保持するためのロック機構（２０）の作用により、シートの伸縮および収納がスムーズにできる。シート部３（３）やシート部４（４）を収納するときは、ロック解除ボタン（２１）を押せば、ガイド（２３）との間にストッパー押付けバネ（２５）の押し付け圧力でシートを係止していたストッパー（２４）の押さえが緩み、巻取り用コイルバネ（１９）の戻り力によりシート部３（３）やシート部４（４）が所定位置まで巻き取られる。
【実施例４】
【００２２】  以下、本発明の実施例４の形態を説明する。
（イ）、当該複写補助シート本体（１）は、縦方向に遮光面積を変えることができるシート部３（３）と横方向に遮光面積を変えることができるシート部４（４）を備える。
（ロ）、当該複写補助シートは、紙、布、フェルト、ゴム・ウレタンゴム・シリコンゴムなど弾性体の素材、不織布、プラスチックなどの素材で薄く形成されている。
（ハ）、原稿ガラスに接する面の色は白色である。
（ニ）、対角線上に少なくとも一つの切り込みを有する。
（ホ）、対角線上における切り込み（１１）の一端は、シート本体（１）を分離してしまわないよう、またシート部３（３）やシート部４（４）を保持できる範囲で対角線の頂点まで達しない位置までとする。
（ヘ）、遮光面積を広げるときはシート部３（３）やシート部４（４）を伸ばして広げる。
（ト）、遮光面積を狭めるときはシート部３（３）やシート部４（４）を畳んで狭める。
（チ）、シート部３（３）やシート部４（４）を伸ばしたり畳んだり調整してＬ字型のシートを形成する。
（リ）、当該複写補助シート本体（１）のＬ字型の２辺と原稿台の２辺に囲まれた面積が、原稿物（１２）の読み取り部分の面積となる。そして、それ以外が遮光面積となる。
（ヌ）、当該複写補助シート本体（１）の表面には、適応する原稿物のサイズや種類などの表示（１０）が、蛍光顔料などで複写時に写り込まないように書かれている。
（ル）、当該複写補助シート本体（１）は、シート部３（３）やシート部４（４）を保持しやすくするために二重構造とするなり、シート部３（３）やシート部４（４）に対して硬めの材質で形成するとよい。
（ヲ）、シート部３（３）やシート部４（４）にあらかじめ折り目や目印（１６）をつけておくと、シート部３（３）やシート部４（４）が折り畳み易く、また原稿物（１２）に合わせやすくなる。
本発明は以上の構成よりなる。【００２３】  本発明を使用して例えば厚手の本を複写する場合は、原稿ガラス（１３）上にセット基準に合わせて置いた本のページの余白部分に合わせて、シート部３（３）やシート部４（４）を折り曲げてできる直線部（８）や（９）でＬ字型の遮断面を構成した当該複写補助シート（１）を敷いて、複写機の読み取り光線が漏れないように、また、外部からの光が入らないようにする。【００２４】  シート部３（３）やシート部４（４）を折り畳むとき、折り畳み易くするためシート部３（３）やシート部４（４）にあらかじめ折り目や目印（１６）を付けておくことが好ましい。
【産業上の利用可能性】
【００２５】  本発明は、シートを製造・成形する産業などで利用される。
【符号の説明】
【００２６】１  シート本体
２  ガイド部
３  シート部３
４  シート部４
５  切り込み
６  シート部３の端
７  シート部４の端
８  シート部３を折り曲げてできる直線
９  シート部４を折り曲げてできる直線
１０  表示
１１  対角線上の切れ込み
１２  原稿物
１３  原稿ガラス
１４  セット基準
１５  原稿台
１６  折り目や目印
１７  シート収納（巻取り）部
１８  巻取り軸
１９  巻取り用コイルバネ
２０  ロック機構
２１  ロック解除ボタン
２２  ドラム
２３  ガイド部
２４  ストッパー
２５  ストッパー押付けバネ
２６  切り離し目印
【図１】
2020184738.tif 000003
【図２】
2020184738.tif 000004
【図３】
2020184738.tif 000005
【図４】
2020184738.tif 000006
【図５】
2020184738.tif 000007
【図６】
2020184738.tif 000008
【図７】
2020184738.tif 000009
【図８】
2020184738.tif 000010
【図９】
2020184738.tif 000011
【図１０】
2020184738.tif 000012
【図１１】
2020184738.tif 000013
【図１２】
2020184738.tif 000014
【図１３】
2020184738.tif 000015
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
原稿ガラスに向かう面が白色であり、ガイド部２、表示１０を有し、原稿ガラス上に敷いて、原稿読み取り光線の透過を制限遮断することを特徴とする複写補助シート。
【請求項２】
原稿ガラスに向かう面が白色であり、ガイド部２および表示１０を有し、Ｌ字型の形状であり、原稿ガラス上に敷いて、原稿読み取り光線の透過を制限遮断することを特徴とする複写補助シート。
【請求項３】
原稿ガラスに向かう面が白色であり、Ｌ字型の形状であり、ガイド部２と表示１０を有し、複数枚を組み合わせてなり、原稿ガラス上に敷いて原稿読み取り光線の透過を制限遮断することを特徴とする複写補助シート。
【請求項４】
原稿ガラスに向かう面が白色であり、ガイド部２、表示１０を有し、Ｌ字型の形状であり、原稿ガラス上に敷いて、原稿読み取り光線の透過を制限遮断する複写補助シートを、離脱が容易なように完全に切り取ってしまわない範囲の切込みやミシン目または型押し溝などでできた切り離し目印２６を切り離すことで、作成できることを特徴とするシート。
【請求項５】
原稿ガラスに向かう面が白色であり、シート部３、シート部４、切り込み５、表示１０、折り目や目印１６を有し、シート部３とシート部４により遮光面積を変え、原稿ガラス上に敷いて原稿読み取り光線の透過を制限遮断することを特徴とする複写補助シート。
【請求項６】
原稿ガラスに向かう面が白色であり、切り込み５を有し、シート部３とシート部４により遮光面積を変える複写補助シートは、二枚の、すなわちシート部３を有する複写補助シートとシート部４を有する複写補助シートのそれぞれの本体１の接合をもって一つに形成し、原稿ガラス上に敷いて原稿読み取り光線の透過を制限遮断することを特徴とする複写補助シート。
【請求項７】
原稿ガラスに向かう面が白色であり、切り込み５を有し、シート部３とシート部４により遮光面積を変え、原稿ガラス上に敷いて原稿読み取り光線の透過を制限遮断する複写補助シートを、シートの中央線Ｇ−Ｇに沿って折り曲げて本体１を接合形成して作成するシート。
【請求項８】
原稿ガラスに向かう面が白色であり、シート部３とシート部４により遮光面積を変える構造の、原稿ガラス上に敷いて原稿読み取り光線の透過を制限遮断するシートにおいて、巻取り用コイルバネ１９、シートの位置を固定するロック機構２０、ロック解除ボタン２１、ドラム２２、ガイド２３、ストパー２４、により構成されるシート収納部１７を有することを特徴とする、原稿ガラス上に敷いて原稿読み取り光線の透過を制限遮断する複写補助シート。
【請求項９】
原稿ガラスに向かう面が白色であり、表示１０と折り目や目印１６を有し、シート部３とシート部４により遮光面積を変える複写補助シートにおいて、対角線上における切り込み１１の一端はシート本体１を分離してしまわないよう、またシート部３やシート部４を保持できる範囲で対角線の頂点まで達しない位置までとすることを特徴とする、原稿ガラス上に敷いて原稿読み取り光線の透過を制限遮断する複写補助シート。
【手続補正２】
【補正対象書類名】明細書
【補正対象項目名】００１３
【補正方法】変更
【補正の内容】
【００１３】  大きさの違う複数枚の当該複写補助シートを作成するシートを提供する場合は、図（１３）に示す如く一枚のシートから複数のＬ字型のシートを切り離し易くするために、シートにはあらかじめ離脱が容易なように完全に切り取ってしまわない範囲の切り込みやミシン目または型押し溝などでできた切り離し目印（２６）を設ける。
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
原稿ガラスに向かう面が白色であり、ガイド部２、表示１０を有し、Ｌ字型の形状であり、原稿ガラス上に敷いて、原稿読み取り光線の透過を制限遮断する複写補助シートを、離脱が容易なように完全に切り取ってしまわない範囲の切込み、ミシン目、型押し溝または切り込み・ミシン目・型押し溝の組み合わせでできた切り離し目印２６を切り離すことで、作成できることを特徴とするシート。
【請求項２】
原稿ガラスに向かう面が白色であり、シート部３、シート部４、切り込み５、表示１０、折り目や目印１６を有し、シート部３とシート部４により遮光面積を変え、原稿ガラス上に敷いて原稿読み取り光線の透過を制限遮断することを特徴とする複写補助シート。
【請求項３】
原稿ガラスに向かう面が白色であり、切り込み５を有し、シート部３とシート部４により遮光面積を変える複写補助シートは、二枚の、すなわちシート部３を有する複写補助シートとシート部４を有する複写補助シートのそれぞれの本体１の接合をもって一つに形成し、原稿ガラス上に敷いて原稿読み取り光線の透過を制限遮断することを特徴とする複写補助シート。
【請求項４】
原稿ガラスに向かう面が白色であり、切り込み５を有し、シート部３とシート部４により遮光面積を変え、原稿ガラス上に敷いて原稿読み取り光線の透過を制限遮断する複写補助シートを、シートの中央線Ｇ−Ｇに沿って折り曲げて本体１を接合形成して作成するシート。
【請求項５】
原稿ガラスに向かう面が白色であり、表示１０と折り目や目印１６を有し、シート部３とシート部４により遮光面積を変える複写補助シートにおいて、対角線上における切り込み１１の一端はシート本体１を分離してしまわないよう、またシート部３やシート部４を保持できる範囲で対角線の頂点まで達しない位置までとすることを特徴とする、原稿ガラス上に敷いて原稿読み取り光線の透過を制限遮断する複写補助シート。